(57)【要約】    【課題】      受信状態が急激に劣化しても送信電力を意図通りに制御するとともに、送信電力制御の異常動作によりシステムに支障をきたすことを防ぐこと。    【解決手段】  移動速度推定部１０３は、パイロット信号を用いて通信相手の移動速度を推定する。送信電力制御部１０４は、総送信電力に対する個別チャネルの送信電力比がしきい値未満である場合には、受信状態が急激に変動する可能性が高いものと判断する。そして、送信電力制御部１０４は、送信電力制御コマンドを送信するチャネルの送信電力を、受信した送信電力制御コマンドに基づいて設定した送信電力よりも高く設定する。送信電力設定部１０６は、送信電力を設定して送信電力制御コマンドを送信する。  【選択図】      図１
2006148484.tif 000002
【特許請求の範囲】
【請求項１】
受信信号より通信相手の移動速度を推定する移動速度推定手段と、
前記移動速度推定手段にて推定された移動速度、受信信号に含まれる第一送信電力制御コマンド及び前記通信相手との伝搬路品質に基づいて送信電力を設定する送信電力制御手段と、
前記通信相手にて送信電力を設定するための第二送信電力制御コマンドを前記送信電力制御手段にて設定された送信電力にて送信する送信手段と、
を具備することを特徴とする通信装置。
【請求項２】
前記送信電力制御手段は、前記移動速度推定手段にて推定された移動速度、前記第一送信電力制御コマンド及び前記伝搬路品質である総送信電力に対する前記第二送信電力制御コマンドを送信するチャネルの送信電力の割合に基づいて送信電力を設定することを特徴とする請求項１記載の通信装置。
【請求項３】
前記送信電力制御手段は、前記移動速度推定手段にて推定された移動速度が第一しきい値以上で、かつ前記割合が第二しきい値未満の場合には前記第一送信電力制御コマンドにより設定する送信電力よりも高い送信電力を設定することを特徴とする請求項２記載の通信装置。
【請求項４】
自分の移動速度を推定する移動速度推定手段と、
前記移動速度推定手段にて推定された移動速度、受信信号に含まれる送信電力制御コマンド及び前記通信相手との伝搬路品質に基づいて送信電力を設定する送信電力制御手段と、
前記送信電力制御手段にて設定された送信電力にて送信信号を送信する送信手段と、
を具備することを特徴とする通信装置。
【請求項５】
通信相手における総送信電力に対する前記送信電力制御コマンドを送信するチャネルの送信電力の割合の情報を受信する受信手段を具備し、
前記送信電力制御手段は、前記移動速度、前記送信電力制御コマンド及び前記伝搬路品質を示す前記割合の情報に基づいて送信電力を設定することを特徴とする請求項４記載の通信装置。
【請求項６】
受信信号より受信品質を測定する受信品質測定手段と、
総受信電力に対する前記送信電力制御コマンドを受信したチャネルの受信電力の割合を求める受信電力比測定手段とを具備し、
前記送信電力制御手段は、前記移動速度、前記送信電力制御コマンド、前記伝搬路品質を示す前記受信品質及び前記伝搬路品質を示す前記割合に基づいて送信電力を設定することを特徴とする請求項４または請求項５記載の通信装置。
【請求項７】
受信信号より通信相手の移動速度を推定する移動速度推定手段と、
前記移動速度推定手段にて推定された移動速度及び前記通信相手との伝搬路品質に基づいて前記通信相手にて送信電力を設定するための送信電力制御コマンドを生成する送信電力コマンド生成手段と、
前記送信電力コマンド生成手段にて生成された前記送信電力制御コマンドを所定の送信電力にて送信する送信手段と、
を具備することを特徴とする通信装置。
【請求項８】
自分の移動速度を推定する移動速度推定手段と、
前記移動速度推定手段にて推定された移動速度及び前記通信相手との伝搬路品質に基づいて前記通信相手にて送信電力を設定するための送信電力制御コマンドを生成する送信電力コマンド生成手段と、
前記送信電力制御コマンド生成手段にて生成された前記送信電力制御コマンドを所定の送信電力にて送信する送信手段と、
を具備することを特徴とする通信装置。
【請求項９】
通信相手における総送信電力に対する前記送信電力制御コマンドを送信するチャネルの送信電力の割合の情報を受信する受信手段を具備し、
前記送信電力制御コマンド生成手段は、前記移動速度及び前記伝搬路品質を示す前記割合の情報に基づいて前記送信電力制御コマンドを生成することを特徴とする請求項８記載の通信装置。
【請求項１０】
受信信号より受信品質を測定する受信品質測定手段と、
総受信電力に対する前記送信電力制御コマンドを受信したチャネルの受信電力の割合を求める受信電力比測定手段とを具備し、
前記送信電力制御コマンド生成手段は、前記移動速度、前記伝搬路品質を示す前記受信品質及び前記伝搬路品質を示す前記割合に基づいて前記送信電力制御コマンドを生成することを特徴とする請求項８または請求項９記載の通信装置。
【請求項１１】
受信信号より通信相手の移動速度を推定するステップと、
推定された移動速度、受信信号に含まれる第一送信電力制御コマンド及び前記通信相手との伝搬路品質に基づいて送信電力を設定するステップと、
を具備することを特徴とする送信電力制御方法。
【請求項１２】
推定された移動速度、前記第一送信電力制御コマンド及び前記伝搬路品質である総送信電力に対する前記第二送信電力制御コマンドを送信するチャネルの送信電力の割合に基づいて送信電力を設定することを特徴とする請求項１１記載の送信電力制御方法。
【請求項１３】
推定された移動速度が第一しきい値以上で、かつ前記割合が第二しきい値未満の場合には前記第一送信電力制御コマンドにより設定する送信電力よりも高い送信電力を設定することを特徴とする請求項１２記載の送信電力制御方法。
【請求項１４】
自分の移動速度を推定するステップと、
推定された移動速度、受信信号に含まれる送信電力制御コマンド及び前記通信相手との伝搬路品質に基づいて送信電力を設定するステップと、
を具備することを特徴とする送信電力制御方法。
【請求項１５】
通信相手における総送信電力に対する前記送信電力制御コマンドを送信するチャネルの送信電力の割合の情報を受信するステップを具備し、
前記移動速度、前記送信電力制御コマンド及び前記伝搬路品質を示す前記割合の情報に基づいて送信電力を設定することを特徴とする請求項１４記載の送信電力制御方法。
【請求項１６】
受信信号より受信品質を測定するステップと、
総受信電力に対する前記送信電力制御コマンドを受信したチャネルの受信電力の割合を求めるステップとを具備し、
前記移動速度、前記送信電力制御コマンド、前記伝搬路品質を示す前記受信品質及び前記伝搬路品質を示す前記割合に基づいて送信電力を設定することを特徴とする請求項１４または請求項１５記載の送信電力制御方法。
【請求項１７】
受信信号より通信相手の移動速度を推定するステップと、
推定された移動速度及び前記通信相手との伝搬路品質に基づいて前記通信相手にて送信電力を設定するための送信電力制御コマンドを生成するステップと、
生成された前記送信電力制御コマンドを所定の送信電力にて前記通信相手に送信するステップと、
前記送信電力制御コマンドにて指示された送信電力を前記通信相手にて設定するステップと、
を具備することを特徴とする送信電力制御方法。
【請求項１８】
自分の移動速度を推定するステップと、
推定された移動速度及び前記通信相手との伝搬路品質に基づいて前記通信相手にて送信電力を設定するための送信電力制御コマンドを生成するステップと、
生成された前記送信電力制御コマンドを所定の送信電力にて送信するステップと、
前記送信電力制御コマンドにて指示された送信電力を前記通信相手にて設定するステップと、
を具備することを特徴とする送信電力制御方法。
【請求項１９】
通信相手における総送信電力に対する前記送信電力制御コマンドを送信するチャネルの送信電力の割合の情報を受信するステップを具備し、
前記移動速度及び前記伝搬路品質を示す前記割合の情報に基づいて前記送信電力制御コマンドを生成することを特徴とする請求項１８記載の送信電力制御方法。
【請求項２０】
受信信号より受信品質を測定するステップと、
総受信電力に対する前記送信電力制御コマンドを受信したチャネルの受信電力の割合を求めるステップとを具備し、
前記移動速度、前記伝搬路品質を示す前記受信品質及び前記伝搬路品質を示す前記割合に基づいて前記送信電力制御コマンドを生成することを特徴とする請求項１８または請求項１９記載の送信電力制御方法。
【発明の詳細な説明】
【技術分野】
【０００１】
本発明は、例えばＷ−ＣＤＭＡ（Wideband Code Division Multiple Access）システムにおける通信装置及び送信電力制御方法に関する。
【背景技術】
【０００２】
従来、ＣＤＭＡ移動通信システムにおいては、移動による伝搬路変動が原因で生じる受信品質の変動を抑え、また同時にシステム容量を高めるため、送信電力制御が行われている（例えば、特許文献１）。例えば、Ｗ−ＣＤＭＡシステムにおける基地局から端末への通信の場合には、端末において受信品質を測定し、目標となる受信品質に到達しない場合は送信電力を上げ、目標となる受信品質よりも高い品質すなわち過剰品質の場合は送信電力を下げるようなコマンドを基地局への上り送信データに重畳して送信する。基地局では受信した送信電力制御コマンドを復調し、コマンドに応じて送信電力を制御する。このような制御により、常に受信品質が必要最低限で一定になるように保持され、かつシステム容量の高い通信システムとなる。
【０００３】
このような送信電力制御コマンドによる短い周期の送信電力制御をインナーループ送信電力制御と呼ぶ。例えば、Ｗ−ＣＤＭＡシステムにおいては、１スロット（約０．７ｍｓ）に１ｄＢ単位で送信電力が制御できるため、ある程度の速度におけるフェージング変動に追従し、目標となる受信品質を常に一定に保つことが可能である。
【０００４】
また、受信データの誤り率を測定し、目標受信品質自体をより長い周期で制御するアウターループ送信電力制御がある。例えば、Ｗ−ＣＤＭＡシステムにおける端末の動作においては、目標の誤り率となるように、誤りが生じた場合は目標受信品質を上げ、誤りが生じなかった場合は目標受信品質を下げる方法がある。目標の誤り率を達成するための受信品質は、移動速度、到来パス数または接続基地局数等によって変化することから、アウターループ送信電力制御による目標受信品質の制御により、それら伝搬環境の変化に追随し、受信データ誤り率を一定に保つことが可能である。これらの送信電力制御は、前述したような基地局から端末への下り送信電力だけでなく、端末から基地局への上り送信電力についても同様に行われる。
【特許文献１】特開平８−３２５１５号公報
【発明の開示】
【発明が解決しようとする課題】
【０００５】
しかしながら、従来の装置においては、通信端末装置が見通しで基地局に近い場合、送信電力制御により、送信電力制御コマンドが重畳されている通信端末装置の例えば個別チャネル等の特定のチャネルの送信電力は非常に小さくなる。特に、下りの送信においては、基地局から通信端末装置へのチャネルはユーザ毎に全て直交しているため干渉電力とならず、また見通しの場合は直近の基地局に対する他基地局送信電力比も小さくなるため、個別チャネルの送信電力が十分小さくても、目標となる受信品質を満たすことができるためである。
【０００６】
この状態において、通信端末装置が移動したときに受信状態が急激に劣化し、送信電力制御コマンドが正しく受信できないことにより、送信電力が意図どおりに制御されない場合が生じるという問題がある。例えば、下りの通信においては、通信端末装置が移動することによって基地局との間に障害物が現れ、いままでの見通しの伝搬経路で通信端末装置に到来する信号の受信電力が急激に低下すると、通信端末装置においては、他の伝搬経路あるいは他基地局からの経路の受信信号電力の比率が高まる。これらは干渉電力となるため、受信状態が急激に劣化する。
【０００７】
従来のアウターループ送信電力制御は、伝搬環境の変動に応じて目標となる受信品質自体を制御することで、ある程度の変動には追従できるが、前述したような急激な変動を吸収することはできないので、アウターループ送信電力制御によっても送信電力が意図どおりに制御されない場合が生じるという問題がある。また目標受信品質自体の追従速度が速すぎると、通常時に過剰な制御となり、安定した通信が行えなくなるという問題がある。
【０００８】
一方、インナーループ送信電力制御は、急激な変動に対応するために短い周期で送信電力制御を行うことが可能であるが、送信電力制御コマンドが正しく受信されることが前提であるので、インナーループ送信電力コマンドの誤り率自体が劣化するような急激な受信状態の劣化がおこる場合は、下り個別チャネルに埋め込まれる送信電力コマンド自体に誤りが生じ、本来意図する電力制御が行われないという問題がある。その結果、通信端末装置の上りの送信において異常な送信電力制御が行われるため、基地局における上り受信自体も不安定になるという問題がある。さらに、同様の急激な受信品質劣化は基地局側でも生じるため、送信電力制御が異常動作し、システムに支障をきたす可能性があるという問題がある。
【０００９】
本発明はかかる点に鑑みてなされたものであり、受信状態が急激に劣化しても送信電力を意図通りに制御することができるとともに、送信電力制御の異常動作によりシステムに支障をきたすことを防ぐことができる通信装置及び送信電力制御方法を提供することを目的とする。
【課題を解決するための手段】
【００１０】
本発明の通信装置は、受信信号より通信相手の移動速度を推定する移動速度推定手段と、前記移動速度推定手段にて推定された移動速度、受信信号に含まれる第一送信電力制御コマンド及び前記通信相手との伝搬路品質に基づいて送信電力を設定する送信電力制御手段と、前記通信相手にて送信電力を設定するための第二送信電力制御コマンドを前記送信電力制御手段にて設定された送信電力にて送信する送信手段と、を具備する構成を採る。
【００１１】
また、本発明の通信装置は、自分の移動速度を推定する移動速度推定手段と、前記移動速度推定手段にて推定された移動速度、受信信号に含まれる送信電力制御コマンド及び前記通信相手との伝搬路品質に基づいて送信電力を設定する送信電力制御手段と、前記送信電力制御手段にて設定された送信電力にて送信信号を送信する送信手段と、を具備する構成を採る。
【００１２】
また、本発明の通信装置は、受信信号より通信相手の移動速度を推定する移動速度推定手段と、前記移動速度推定手段にて推定された移動速度及び前記通信相手との伝搬路品質に基づいて前記通信相手にて送信電力を設定するための送信電力制御コマンドを生成する送信電力コマンド生成手段と、前記送信電力コマンド生成手段にて生成された前記送信電力制御コマンドを所定の送信電力にて送信する送信手段と、を具備する構成を採る。
【００１３】
本発明の通信装置は、自分の移動速度を推定する移動速度推定手段と、前記移動速度推定手段にて推定された移動速度及び前記通信相手との伝搬路品質に基づいて前記通信相手にて送信電力を設定するための送信電力制御コマンドを生成する送信電力コマンド生成手段と、前記送信電力制御コマンド生成手段にて生成された前記送信電力制御コマンドを所定の送信電力にて送信する送信手段と、を具備する構成を採る。
【００１４】
本発明の送信電力制御方法は、受信信号より通信相手の移動速度を推定するステップと、推定された移動速度、受信信号に含まれる第一送信電力制御コマンド及び前記通信相手との伝搬路品質に基づいて送信電力を設定するステップと、を具備するようにした。
【００１５】
また、本発明の送信電力制御方法は、自分の移動速度を推定するステップと、推定された移動速度、受信信号に含まれる送信電力制御コマンド及び前記通信相手との伝搬路品質に基づいて送信電力を設定するステップと、を具備するようにした。
【００１６】
また、本発明の送信電力制御方法は、受信信号より通信相手の移動速度を推定するステップと、推定された移動速度及び前記通信相手との伝搬路品質に基づいて前記通信相手にて送信電力を設定するための送信電力制御コマンドを生成するステップと、生成された前記送信電力制御コマンドを所定の送信電力にて前記通信相手に送信するステップと、前記送信電力制御コマンドにて指示された送信電力を前記通信相手にて設定するステップと、を具備するようにした。
【００１７】
また、本発明の送信電力制御方法は、自分の移動速度を推定するステップと、推定された移動速度及び前記通信相手との伝搬路品質に基づいて前記通信相手にて送信電力を設定するための送信電力制御コマンドを生成するステップと、生成された前記送信電力制御コマンドを所定の送信電力にて送信するステップと、前記送信電力制御コマンドにて指示された送信電力を前記通信相手にて設定するステップと、を具備するようにした。
【発明の効果】
【００１８】
本発明によれば、受信状態が急激に劣化しても送信電力を意図通りに制御することができるとともに、送信電力制御の異常動作によりシステムに支障をきたすことを防ぐことができる。
【発明を実施するための最良の形態】
【００１９】
以下、本発明の実施の形態について、図面を参照して詳細に説明する。
【００２０】
（実施の形態１）
図１は、本発明の実施の形態１に係る通信装置１００の構成を示すブロック図である。通信装置１００は、例えば基地局装置に適用することができる。
【００２１】
アンテナ１０１は、信号を受信して受信部１０２へ出力する。またアンテナ１０１は、送信電力設定部１０６から入力した送信信号を送信する。
【００２２】
受信部１０２は、アンテナ１０１にて受信した受信信号を無線周波数からベースバンド周波数へダウンコンバートするとともに復調する。そして、受信部１０２は、復調した受信データを出力するとともに、復調した受信データから送信電力制御コマンド（第一送信電力制御コマンド）を抽出して送信電力制御部１０４へ出力する。また、受信部１０２は、復調した受信データからパイロット信号を抽出して移動速度推定部１０３へ出力する。なお、抽出する信号はパイロット信号に限らず、通信装置１００にて速度推定可能な信号であれば何でも良い。
【００２３】
移動速度推定部１０３は、受信部１０２から入力したパイロット信号を用いて、伝搬路での位相変動速度または受信レベルの変動等を求めることにより、通信相手の移動速度を推定する。そして、移動速度推定部１０３は、推定した移動速度の情報を送信電力制御部１０４へ出力する。なお、移動速度を推定する方法は、パイロット信号の変動に基づいて算出する場合に限らず、例えばＧＰＳ（Global Positioning System）を用いる等の他の速度検出方法を用いても良い。
【００２４】
送信電力制御部１０４は、受信部１０２から入力した送信電力制御コマンドに基づき、現在の個別チャネルの送信電力に対して電力制御を行って、所定の送信電力を設定するように送信電力設定部１０６に指示する。これは、インナーループ送信電力制御である。続いて、送信電力制御部１０４は、移動速度推定部１０３から入力した移動速度の情報、及び後述する送信電力比測定部１０７から入力した、同一セル内の他の通信端末装置の全てのチャネルの総送信電力に対する個別チャネルの送信電力比（以下、「個別チャネル送信電力比」と記載する）の情報に基づいて、再び送信電力制御を行って、個別チャネルに対して所定の送信電力を設定するように送信電力設定部１０６に指示する。なお、送信電力制御方法については後述する。
【００２５】
送信部１０５は、入力した送信データと、通信相手にて送信電力を設定するための図示しない送信電力制御コマンド（第二送信電力制御コマンド）とを多重して、ベースバンド周波数から無線周波数へアップコンバートして送信電力設定部１０６へ出力する。
【００２６】
送信電力設定部１０６は、送信部１０５から入力した個別チャネルの送信信号に対して、送信電力制御部１０４により指示された送信電力にてアンテナ１０１へ出力する。
【００２７】
送信電力比測定部１０７は、送信電力設定部１０６から入力した各チャネルの送信電力の情報を用いて、個別チャネル送信電力比を測定する。そして、送信電力比測定部１０７は、測定した個別チャネル送信電力比の情報を送信電力制御部１０４へ出力する。ここで、個別チャネルには、送信電力制御コマンドが重畳されている。
【００２８】
次に、送信電力制御方法について、図２を用いて説明する。図２は、送信電力制御方法を示すフロー図である。
【００２９】
最初に、受信部１０２は受信信号から送信電力制御コマンドを抽出し、送信電力制御部１０４は送信電力制御コマンドに基づいてインナーループ送信電力制御を行う（ステップＳＴ２０１）。例えば、送信電力制御部１０４は、送信電力制御コマンドがＵｐの場合は、＋ΔｄＢだけ送信電力を上げ、送信電力制御コマンドがＤｏｗｎの場合は、−ΔｄＢだけ送信電力を下げる。
【００３０】
次に、移動速度推定部１０３は受信信号より移動速度を推定するとともに、送信電力比測定部１０７は個別チャネル送信電力比を測定する。そして、送信電力制御部１０４は、移動速度がしきい値Ｘ以上であるか否かを判定する（ステップＳＴ２０２）。移動速度がしきい値Ｘ以上である場合には、送信電力制御部１０４は個別チャネル送信電力比がしきい値Ｙ未満であるか否かを判定する（ステップＳＴ２０３）。個別チャネル送信電力比がしきい値Ｙ未満である場合には、送信電力制御部１０４は、インナーループ送信電力制御の結果の個別チャネル送信電力比がＡｄＢ未満であるか否かを判定し、個別チャネル送信電力比がＡｄＢ未満である場合には、送信電力がＡｄＢになるように再び送信電力制御を行って送信電力ＡｄＢを設定する（ステップＳＴ２０４）。
【００３１】
一方、ステップＳＴ２０２において、移動速度がしきい値Ｘ以上ではない場合には、送信電力制御部１０４は、受信部１０２にて抽出した送信電力制御コマンドに基づいて設定した送信電力を維持する。また、ステップＳＴ２０３において、個別チャネル送信電力比がしきい値Ｙ未満ではない場合には、送信電力制御部１０４は、受信部１０２にて抽出した送信電力制御コマンドに基づいて設定した送信電力を維持する。
【００３２】
図３において、通信装置１００は、例えば基地局装置であり、移動せずに多数の通信相手３１１と通信を行うものである。また、通信相手３１１は、例えば通信端末装置であり、移動しながら通信装置１００と通信を行うものである。なお、図３の通信装置１００は図１と同一構成である。ここで、通信相手３１１が送信電力を設定するために用いる送信電力制御コマンドを、上り回線用の送信電力制御コマンドとし、通信装置１００が送信電力を設定するために用いる送信電力制御コマンドを、下り回線用の送信電力制御コマンドとする。上り回線用の送信電力制御コマンドは、通信装置１００にて生成して通信装置１００から送信されるものであり、下り回線用の送信電力制御コマンドは、通信相手３１１にて生成して通信相手３１１から送信されるものである。
【００３３】
図３より、通信相手３１１がＦ１の場所にて通信装置１００と通信を行う場合は、通信装置１００からの見通し経路＃３０１で信号が到来するため、通信装置１００における総送信電力に対する通信相手３１１の個別チャネル送信電力の割合が非常に小さくても、通信相手３１１は誤りなく上り回線用の送信電力制御コマンドを受信することができる。したがって、通信相手３１１が上り回線用の送信電力制御コマンドに基づいて設定した適切な送信電力で、下り回線用の送信電力制御コマンドを送信することができる。その結果、通信装置１００は、下り回線用の送信電力制御コマンドを誤りなく受信可能である。図４は、通信装置１００が送信する個別チャネルの信号の送信電力比を示す図である。通信相手３１１が送信電力Ｐ１にて通信装置１００と通信を行っている場合の個別チャネル送信電力比＃４０１において、通信相手３１１の個別チャネルの送信電力Ｐ２は非常に小さくなっている。
【００３４】
一方、通信相手３１１がＦ１からＦ２の場所に移動してＦ２にて通信装置１００と通信を行う場合は、見通し経路＃３０２は障害物Ｒ１に遮断されるため、通信装置１００より障害物Ｒ２にて反射されて到達する経路＃３０３による干渉となる電力が大きくなる。したがって、Ｆ１からＦ２への移動が高速に行われた場合、通信相手３１１は、上り回線用の送信電力制御コマンドを正しく受信することができなくなる。このような場合、通信相手３１１が上り回線用の送信電力制御コマンドに基づいて設定した下り回線用の送信電力制御コマンドの送信電力は、適切な送信電力を設定することができなくなる。その結果、通信装置１００は、下り回線用の送信電力制御コマンドを誤って受信する可能性が高くなる。つまり、本来Ｆ２の場所では、下り個別チャネルの送信電力比＃４０２のように、通信相手３１１は送信電力Ｐ３が必要になる。しかし、Ｆ１からＦ２へ移動する通信相手３１１の速度が速い場合は、送信電力Ｐ２から送信電力Ｐ３への遷移が間に合わず、送信電力制御に誤りが生じる。この時、通信相手３１１の移動速度が速く、通信相手３１１がＦ１からＦ２に移動する可能性が高い場合には、通信相手３１１の個別チャネルの送信電力を、上り回線用の送信電力制御コマンドに基づいて送信電力制御されて設定された送信電力よりも高い送信電力を設定する。即ち、通信相手３１１がＦ１にて通信装置１００と通信を行っている場合であっても、通信相手３１１が高速に移動する場合は、個別チャネル送信電力比＃４０２において、通信装置１００の個別チャネルの送信電力を、上り回線用の送信電力制御コマンドに基づいて設定された送信電力Ｐ２よりも高いＰ３に設定することで、通信相手３１１がＦ２の場所に移動した場合でも、下り回線用の送信電力制御コマンドに誤りが生じないため、安定した電力制御が可能である。
【００３５】
このように、本実施の形態１によれば、移動速度が所定の値以上で、かつ個別チャネル送信電力比が所定の値未満である場合には、送信電力制御コマンドに基づいて設定した送信電力よりも高い送信電力を設定するので、基地局と通信端末装置との見通し経路が障害物により遮られる等により、受信状態が急激に劣化しても送信電力を意図通りに制御することができるとともに、送信電力制御の異常動作によりシステムに支障をきたすことを防ぐことができる。また、本実施の形態１によれば、前述のような送信電力制御コマンドに誤りが生じるのは、通信相手が高速に移動し、かつ通信装置と通信相手との距離が近く通信装置からの個別チャネルの送信電力比が小さい場合であるので、この条件に当てはまらない場合、即ち通信装置と通信相手との距離が遠い場合、または通信相手の移動速度が遅い場合等においては、送信電力制御コマンドに基づいて設定した送信電力を維持する制御を行うことにより、インナーループ送信電力制御またはアウターループ送信電力制御のみで適切な送信電力を設定することができ、相対的に通信容量が大きく変化しない運用にすることができる。
【００３６】
（実施の形態２）
図５は、本発明の実施の形態２に係る通信装置５００の構成を示すブロック図である。通信装置５００は、例えば通信端末装置に適用することができる。
【００３７】
本実施の形態２に係る通信装置５００は、図１に示す実施の形態１に係る通信装置１００において、図５に示すように、送信電力比測定部１０７を除き、制御データ復号部５０１を追加する。なお、図５においては、図１と同一構成である部分には同一の符号を付してその説明は省略する。
【００３８】
受信部１０２は、アンテナ１０１にて受信した受信信号を無線周波数からベースバンド周波数へダウンコンバートするとともに復調する。そして、受信部１０２は、復調した受信データを出力するとともに移動速度推定部１０３及び制御データ復号部５０１へ出力する。
【００３９】
移動速度推定部１０３は、受信データに基づいて、自分の移動速度を推定する。そして、移動速度推定部１０３は、推定した移動速度の情報を送信電力制御部１０４へ出力する。
【００４０】
制御データ復号部５０１は、受信部１０２から入力した受信データより、個別チャネル送信電力比の情報を抽出して送信電力制御部１０４へ出力する。
【００４１】
送信電力制御部１０４は、受信部１０２から入力した送信電力制御コマンドに基づき、現在の個別チャネルの送信電力に対して電力制御を行って、所定の送信電力を設定するように送信電力設定部１０６に指示する。これは、インナーループ送信電力制御である。続いて、送信電力制御部１０４は、移動速度推定部１０３から入力した移動速度の情報、及び制御データ復号部５０１から入力した個別チャネル送信電力比の情報に基づいて、再び送信電力制御を行って、個別チャネルに対して所定の送信電力を設定するように送信電力設定部１０６に指示する。なお、送信電力制御方法は図２と同一であるのでその説明は省略する。
【００４２】
このように、本実施の形態２によれば、移動速度が所定の値以上で、かつ個別チャネル送信電力比が所定の値未満である場合には、送信電力制御コマンドに基づいて設定した送信電力よりも高い送信電力を設定するので、基地局と通信端末装置との見通し経路が障害物により遮られる等により、受信状態が急激に劣化しても送信電力を意図通りに制御することができるとともに、送信電力制御の異常動作によりシステムに支障をきたすことを防ぐことができる。また、本実施の形態２によれば、前述のような送信電力制御コマンドに誤りが生じるのは、自分が高速に移動し、かつ通信装置と通信相手との距離が近く通信相手からの個別チャネルの送信電力比が小さい場合であるので、この条件に当てはまらない場合、即ち通信装置と通信相手との距離が遠い場合、または自分の移動速度が遅い場合等においては、送信電力制御コマンドに基づいて設定した送信電力を維持する制御を行うことにより、インナーループ送信電力制御またはアウターループ送信電力制御のみで適切な送信電力を設定することができ、相対的に通信容量が大きく変化しない運用にすることができる。
【００４３】
（実施の形態３）
図６は、本発明の実施の形態３に係る通信装置６００の構成を示すブロック図である。通信装置６００は、例えば通信端末装置に適用することができる。
【００４４】
本実施の形態３に係る通信装置６００は、図１に示す実施の形態１に係る通信装置１００において、図６に示すように、送信電力比測定部１０７を除き、受信品質測定部６０１及び受信電力比測定部６０２を追加する。なお、図６においては、図１と同一構成である部分には同一の符号を付してその説明は省略する。
【００４５】
受信部１０２は、アンテナ１０１にて受信した受信信号を無線周波数からベースバンド周波数へダウンコンバートするとともに復調する。そして、受信部１０２は、復調した受信データを出力するとともに、復調した受信データから送信電力制御コマンドを抽出して送信電力制御部１０４へ出力する。また、受信部１０２は、復調した受信データを移動速度推定部１０３、受信品質測定部６０１及び受信電力比測定部６０２へ出力する。
【００４６】
受信品質測定部６０１は、受信部１０２から入力した受信データに含まれるパイロット信号のＳＩＲ等の受信品質を測定し、測定値を送信電力制御部１０４へ出力する。
【００４７】
受信電力比測定部６０２は、受信部１０２から入力した受信データに含まれるパイロット信号から、個別チャネルの総受信電力に対する個別チャネルの受信電力比（以下「個別チャネル受信電力比」と記載する）を求め、求めた個別チャネル受信電力比の情報を送信電力制御部１０４へ出力する。
【００４８】
送信電力制御部１０４は、受信部１０２から入力した送信電力制御コマンドに基づき、現在の個別チャネルの送信電力に対して電力制御を行って、所定の送信電力を設定するように送信電力設定部１０６に指示する。これは、インナーループ送信電力制御である。続いて、送信電力制御部１０４は、移動速度推定部１０３から入力した通信相手の移動速度の情報、受信品質測定部６０１から入力した受信品質の測定結果及び受信電力比測定部６０２から入力した個別チャネル受信電力比の情報に基づいて、再び送信電力制御を行って、個別チャネルに対して所定の送信電力を設定するように送信電力設定部１０６に指示する。
【００４９】
次に、送信電力制御方法について、図７を用いて説明する。図７は、送信電力制御方法を示すフロー図である。
【００５０】
最初に、受信部１０２は受信信号から送信電力制御コマンドを抽出して、送信電力制御部１０４は送信電力制御コマンドに基づいてインナーループ送信電力制御を行う（ステップＳＴ７０１）。例えば、送信電力制御部１０４は、送信電力制御コマンドがＵｐの場合は、＋ΔｄＢだけ送信電力を上げ、送信電力制御コマンドがＤｏｗｎの場合は、−ΔｄＢだけ送信電力を下げる。
【００５１】
次に、移動速度推定部１０３は受信信号より自分の移動速度を推定し、受信品質測定部６０１は受信品質を測定するとともに、受信電力比測定部６０２は個別チャネル受信電力比を測定する。
【００５２】
次に、送信電力制御部１０４は、自分の移動速度がしきい値Ｘ以上であるか否かを判定する（ステップＳＴ７０２）。移動速度がしきい値Ｘ以上である場合には、送信電力制御部１０４は、受信品質の測定値と目標品質との差がしきい値Ｗ未満であるか否かを判定する（ステップＳＴ７０３）。受信品質の測定値と目標品質との差がしきい値Ｗ未満である場合には、送信電力制御部１０４は、個別チャネル受信電力比がしきい値Ｙ未満であるか否かを判定する（ステップＳＴ７０４）。個別チャネル受信電力比がしきい値Ｙ未満である場合には、送信電力制御部１０４は、インナーループ送信電力制御の結果の個別チャネル受信電力比がＡｄＢ未満であるか否かを判定し、個別チャネル受信電力比がＡｄＢ未満である場合には、送信電力がＡｄＢになるように再び送信電力制御を行って送信電力ＡｄＢを設定する（ステップＳＴ７０５）。
【００５３】
一方、ステップＳＴ７０２において、自分の移動速度がしきい値Ｘ以上ではない場合には、送信電力制御部１０４は、受信部１０２にて抽出した送信電力制御コマンドに基づいて設定した送信電力を維持する。また、ステップＳＴ７０３において、受信品質の測定値と目標品質との差がしきい値Ｗ未満ではない場合には、送信電力制御部１０４は、受信部１０２にて抽出した送信電力制御コマンドに基づいて設定した送信電力を維持する。また、ステップＳＴ７０４において、個別チャネル受信電力比がしきい値Ｙ未満ではない場合には、送信電力制御部１０４は、受信部１０２にて抽出した送信電力制御コマンドに基づいて設定した送信電力を維持する。
【００５４】
因みに、総受信電力中には、現在通信を行っている通信相手からの送信信号以外にも他の通信装置からの信号等の干渉信号が含まれる。したがって、個別チャネル受信電力比は、必ずしも通信相手の個別チャネル送信電力比と一致しない。しかし、個別チャネルがインナーループ送信電力制御により、常に要求受信品質を満たすように制御されている間において、個別チャネル受信電力比が小さい場合には、受信電力における干渉信号のレベルは小さいと考えられる。つまり、インナーループ送信電力制御により要求品質を満たしているということは、例えばＳＩＲ値が保たれている。したがって、個別チャネルの受信電力が小さいときは、干渉信号のレベルも小さくなるはずである。その場合、受信した総受信電力において、干渉信号、すなわち他の通信装置からの信号はほとんど含まれず、現在通信を行っている通信相手の送信電力がほとんどを占める。したがって、測定した受信品質が目標受信品質とほぼ同じである場合、即ちインナーループ送信電力制御が正常に動作している場合は、個別チャネル受信電力比は個別チャネル送信電力比と置き換えることができる。
【００５５】
このように、本実施の形態３によれば、移動速度が所定の値以上であるとともに受信品質の測定値と目標品質との差が所定の値未満で、かつ個別チャネル受信電力比が所定の値未満である場合には、送信電力制御コマンドに基づいて設定した送信電力よりも高い送信電力を設定するので、基地局と通信端末装置との見通し経路が障害物により遮られる等により、受信状態が急激に劣化しても送信電力を意図通りに制御することができるとともに、送信電力制御の異常動作によりシステムに支障をきたすことを防ぐことができる。また、本実施の形態３によれば、前述のような送信電力制御コマンドに誤りが生じるのは、自分が高速に移動し、かつ通信装置と通信相手との距離が近く通信装置からの個別チャネルの送信電力比が小さい場合であるので、この条件に当てはまらない場合、即ち通信装置と通信相手との距離が遠い場合、または自分の移動速度が遅い場合等においては、送信電力制御コマンドに基づいて設定した送信電力を維持する制御を行うことにより、インナーループ送信電力制御またはアウターループ送信電力制御のみで適切な送信電力を設定することができ、総体的に通信容量が大きく変化しない運用にすることができる。また、本実施の形態３によれば、個別チャネル受信電力比を用いて送信電力を設定するので、受信側の測定のみで送信電力を設定することができることにより、送信側の回路規模を小さくすることができるとともに送信信号の処理を速くすることができる。
【００５６】
（実施の形態４）
図８は、本発明の実施の形態４に係る通信装置８００の構成を示すブロック図である。通信装置８００は、例えば基地局装置に適用することができる。
【００５７】
本実施の形態４に係る通信装置８００は、図１に示す実施の形態１に係る通信端末装置１００において、図８に示すように、送信電力コマンド生成部８０２を追加し、送信電力制御部１０４の代わりに送信電力制御部８０１を有する。なお、図８においては、図１と同一構成である部分には同一の符号を付してその説明は省略する。
【００５８】
受信部１０２は、アンテナ１０１にて受信した受信信号を無線周波数からベースバンド周波数へダウンコンバートするとともに復調する。そして、受信部１０２は、復調した受信データを出力するとともに、復調した受信データから送信電力制御コマンドを抽出して送信電力制御部８０１へ出力する。また、受信部１０２は、復調した受信データからパイロット信号を抽出して移動速度推定部１０３へ出力する。
【００５９】
送信電力制御部８０１は、受信部１０２から入力した送信電力制御コマンドに基づき、現在の個別チャネルの送信電力に対して電力制御を行って、個別チャネルに対して所定の送信電力を設定するように送信電力設定部１０６に指示する。これは、インナーループ送信電力制御である。
【００６０】
移動速度推定部１０３は、受信部１０２から入力したパイロット信号を用いて、伝搬路での位相変動速度または受信レベルの変動等を求めることにより通信相手の移動速度を推定する。そして、移動速度推定部１０３は、推定した通信相手の移動速度の情報を送信電力コマンド生成部８０２へ出力する。
【００６１】
送信電力コマンド生成部８０２は、移動速度推定部１０３から入力した移動速度の情報、及び送信電力比測定部１０７から入力した個別チャネル送信電力比の情報に基づいて、現在の目標受信品質が所定レベルだけ高くなるように目標受信品質を再設定し、再設定した目標受信品質を満たすような送信電力制御コマンドを生成する。そして、送信電力コマンド生成部８０２は、生成した送信電力制御コマンドを送信部１０５へ出力する。
【００６２】
送信部１０５は、入力した送信データと送信電力コマンド生成部８０２から入力した送信電力制御コマンドを多重して、ベースバンド周波数から無線周波数へアップコンバートして送信電力設定部１０６へ出力する。
【００６３】
送信電力設定部１０６は、送信部１０５から入力した送信電力制御コマンドを含む個別チャネルの送信信号に対して、送信電力制御部８０１により指示された送信電力にてアンテナ１０１へ出力する。
【００６４】
送信電力比測定部１０７は、送信電力設定部１０６から入力した各チャネルの送信電力の情報を用いて、個別チャネル送信電力比を測定する。そして、送信電力比測定部１０７は、測定した個別チャネル送信電力比の情報を送信電力コマンド生成部８０２へ出力する。
【００６５】
次に、送信電力制御方法について、図９を用いて説明する。図９は、送信電力制御方法を示すフロー図である。
【００６６】
最初に、移動速度推定部１０３は受信信号より通信相手の移動速度を推定するとともに、送信電力比測定部１０７は個別チャネル送信電力比を測定する。そして、送信電力コマンド生成部８０２は、通信相手の移動速度がしきい値Ｘ以上であるか否かを判定する（ステップＳＴ９０１）。移動速度がしきい値Ｘ以上である場合には、送信電力コマンド生成部８０２は個別チャネル送信電力比がしきい値Ｙ未満であるか否かを判定する（ステップＳＴ９０２）。個別チャネル送信電力比がしきい値Ｙ未満である場合には、送信電力コマンド生成部８０２は、現在の目標受信品質を高くするように目標受信品質を再設定する（ステップＳＴ９０３）。次に、再設定した目標受信品質を満たすような送信電力制御コマンドを生成する（ステップＳＴ９０４）。
【００６７】
一方、ステップＳＴ９０１において、通信相手の移動速度がしきい値Ｘ以上ではない場合には、送信電力コマンド生成部８０２は、現在の目標受信品質を満たすような送信電力制御コマンドを生成する（ステップＳＴ９０４）。また、ステップＳＴ９０２において、個別チャネル送信電力比がしきい値Ｙ未満ではない場合には、送信電力コマンド生成部８０２は、現在の目標受信品質を満たすような送信電力制御コマンドを生成する（ステップＳＴ９０４）。次に、通信端末装置８００は、生成した送信電力制御コマンドを送信する（ステップＳＴ９０５）。
【００６８】
このように、本実施の形態４によれば、通信相手の移動速度が所定の値以上で、かつ個別チャネル送信電力比が所定の値未満である場合には、現在の目標受信品質を高くした目標受信品質を再設定して再設定した目標受信品質を満たすような送信電力制御コマンドを生成することにより、通信装置と通信相手との見通し経路が障害物により遮られる可能性等を考慮した送信電力制御コマンドをあらかじめ生成することができるので、受信状態が急激に劣化しても送信電力を意図通りに制御することができるとともに、送信電力制御の異常動作によりシステムに支障をきたすことを防ぐことができる。また、本実施の形態４によれば、前述のような送信電力制御コマンドに誤りが生じるのは、通信相手が高速に移動し、かつ通信装置と通信相手との距離が近く通信装置からの個別チャネルの送信電力比が小さい場合であるので、この条件に当てはまらない場合、即ち通信装置と通信相手との距離が遠い場合、または通信相手の移動速度が遅い場合等においては、上り回線用の送信電力制御コマンドに基づいて設定した送信電力を維持する制御を行うことにより、インナーループ送信電力制御またはアウターループ送信電力制御のみで適切な送信電力を設定することができ、総体的に通信容量が大きく変化しない運用にすることができる。また、本実施の形態４によれば、通信装置が通信相手へ送信する送信電力制御コマンドによって、通信装置が受信する送信電力制御コマンドの受信品質を保証することができることにより、通信相手にて受信品質を保証するための演算等の処理を行わなくても良いので、通信相手における処理を速くすることができる。
【００６９】
（実施の形態５）
図１０は、本発明の実施の形態５に係る通信装置１０００の構成を示すブロック図である。通信装置１０００は、例えば通信端末装置に適用することができる。
【００７０】
本実施の形態５に係る通信装置１０００は、図１に示す実施の形態１に係る通信端末装置１００において、図１０に示すように、送信電力比測定部１０７を除き、制御データ復号部１００２及び送信電力コマンド生成部１００３を追加し、送信電力制御部１０４の代わりに送信電力制御部１００１を有する。なお、図１０においては、図１と同一構成である部分には同一の符号を付してその説明は省略する。
【００７１】
受信部１０２は、アンテナ１０１にて受信した受信信号を無線周波数からベースバンド周波数へダウンコンバートするとともに復調する。そして、受信部１０２は、復調した受信データを出力するとともに移動速度推定部１０３及び制御データ復号部１００２へ出力し、復調した受信データから送信電力制御コマンドを抽出して送信電力制御部１００１へ出力する。
【００７２】
移動速度推定部１０３は、受信データに基づいて、自分の移動速度を推定する。そして、移動速度推定部１０３は、推定した移動速度の情報を送信電力コマンド生成部１００３へ出力する。
【００７３】
移動速度推定部１０３は、受信部１０２から入力した受信データに含まれるパイロット信号を用いて、伝搬路での位相変動速度または受信レベルの変動等を求めることにより自分の移動速度を推定する。そして、移動速度推定部１０３は、推定した自分の移動速度の情報を送信電力コマンド生成部１００３へ出力する。
【００７４】
送信電力制御部１００１は、受信部１０２から入力した送信電力制御コマンドに基づき、現在の個別チャネルの送信電力に対して電力制御を行って、個別チャネルに対して所定の送信電力を設定するように送信電力設定部１０６に指示する。これは、インナーループ送信電力制御である。
【００７５】
制御データ復号部１００２は、受信部１０２から入力した受信データより、個別チャネル送信電力比の情報を抽出して送信電力コマンド生成部１００３へ出力する。
【００７６】
送信電力コマンド生成部１００３は、移動速度推定部１０３から入力した移動速度の情報及び制御データ復号部１００２から入力した個別チャネル送信電力比の情報に基づいて、現在の目標受信品質が所定レベルだけ高くなるように目標受信品質を再設定し、再設定した目標受信品質を満たすような送信電力制御コマンドを生成する。そして、送信電力コマンド生成部１００３は、生成した送信電力制御コマンドを送信部１０５へ出力する。
【００７７】
送信部１０５は、入力した送信データと送信電力コマンド生成部１００３から入力した下り回線用の送信電力制御コマンドを多重して、ベースバンド周波数から無線周波数へアップコンバートして送信電力設定部１０６へ出力する。
【００７８】
送信電力設定部１０６は、送信部１０５から入力した下り回線用の送信電力制御コマンドを含む個別チャネルの送信信号に対して、送信電力制御部１００１により指示された送信電力にてアンテナ１０１へ出力する。なお、送信電力制御方法は図９と同一であるのでその説明は省略する。
【００７９】
このように、本実施の形態５によれば、自分の移動速度が所定の値以上で、かつ個別チャネル送信電力比が所定の値未満である場合には、現在の目標受信品質を高くした目標受信品質を再設定して再設定した目標受信品質を満たすような送信電力制御コマンドを生成することにより、通信装置と通信相手との見通し経路が障害物により遮られる可能性等を考慮した送信電力制御コマンドをあらかじめ生成することができるので、受信状態が急激に劣化しても送信電力を意図通りに制御することができるとともに、送信電力制御の異常動作によりシステムに支障をきたすことを防ぐことができる。また、本実施の形態５によれば、前述のような送信電力制御コマンドに誤りが生じるのは、自分が高速に移動し、かつ通信装置と通信相手との距離が近く通信装置からの個別チャネルの送信電力比が小さい場合であるので、この条件に当てはまらない場合、即ち通信装置と通信相手との距離が遠い場合、または自分の移動速度が遅い場合等においては、送信電力制御コマンドに基づいて設定した送信電力を維持する制御を行うことにより、インナーループ送信電力制御またはアウターループ送信電力制御のみで適切な送信電力を設定することができ、総体的に通信容量が大きく変化しない運用にすることができる。また、本実施の形態５によれば、通信装置が通信相手へ送信する送信電力制御コマンドによって、通信装置が受信する送信電力制御コマンドの受信品質を保証することができることにより、通信相手にて受信品質を保証するための演算等の処理を行わなくても良いので、通信相手における処理を速くすることができる。
【００８０】
（実施の形態６）
図１１は、本発明の実施の形態６に係る通信装置１１００の構成を示すブロック図である。通信装置１１００は、例えば通信端末装置に適用することができる。
【００８１】
本実施の形態６に係る通信装置１１００は、図１に示す実施の形態１に係る通信装置１００において、図１１に示すように、送信電力比測定部１０７を除き、受信品質測定部１１０２、受信電力比測定部１１０３及び送信電力コマンド生成部１１０４を追加し、送信電力制御部１０４の代わりに送信電力制御部１１０１を有する。なお、図１１においては、図１と同一構成である部分には同一の符号を付してその説明は省略する。
【００８２】
受信部１０２は、アンテナ１０１にて受信した受信信号を無線周波数からベースバンド周波数へダウンコンバートするとともに復調する。そして、受信部１０２は、復調した受信データを出力するとともに、復調した受信データから送信電力制御コマンドを抽出して送信電力制御部１１０１へ出力する。また、受信部１０２は、復調した受信データを移動速度推定部１０３、受信品質測定部１１０２及び受信電力比測定部１１０３へ出力する。
【００８３】
移動速度推定部１０３は、受信部１０２から入力した受信データより自分の移動速度を推定する。そして、移動速度推定部１０３は、推定した自分の移動速度の情報を送信電力コマンド生成部１１０４へ出力する。
【００８４】
送信電力制御部１１０１は、受信部１０２から入力した送信電力制御コマンドに基づき、現在の個別チャネルの送信電力に対して電力制御を行って、個別チャネルに対して所定の送信電力を設定するように送信電力設定部１０６に指示する。これは、インナーループ送信電力制御である。
【００８５】
受信品質測定部１１０２は、受信部１０２から入力した受信データに含まれるパイロット信号のＳＩＲ等の受信品質を測定し、測定値を送信電力コマンド生成部１１０４へ出力する。
【００８６】
受信電力比測定部１１０３は、受信部１０２から入力した受信データに含まれるパイロット信号から個別チャネル受信電力比を求め、求めた個別チャネル受信電力比の情報を送信電力コマンド生成部１１０４へ出力する。
【００８７】
送信電力コマンド生成部１１０４は、移動速度推定部１０３から入力した移動速度の情報、受信品質測定部１１０２から入力した受信品質の測定値及び受信電力比測定部１１０３から入力した個別チャネル受信電力比の情報に基づいて、現在の目標受信品質が所定レベルだけ高くなるように目標受信品質を再設定し、再設定した目標受信品質を満たすような送信電力制御コマンドを生成する。そして、送信電力コマンド生成部１１０４は、生成した送信電力制御コマンドを送信部１０５へ出力する。
【００８８】
送信部１０５は、入力した送信データと送信電力コマンド生成部１１０４から入力した下り回線用の送信電力制御コマンドを多重して、ベースバンド周波数から無線周波数へアップコンバートして送信電力設定部１０６へ出力する。
【００８９】
次に、送信電力制御方法について、図１２を用いて説明する。図１２は、送信電力制御方法を示すフロー図である。
【００９０】
最初に、移動速度推定部１０３は受信信号より自分の移動速度を推定するとともに、受信電力比測定部１１０３は個別チャネル受信電力比を測定する。そして、送信電力コマンド生成部１１０４は、自分の移動速度がしきい値Ｘ以上であるか否かを判定する（ステップＳＴ１２０１）。移動速度がしきい値Ｘ以上である場合には、送信電力コマンド生成部１１０４は、受信品質の測定値と目標品質との差がしきい値Ｗ未満であるか否かを判定する（ステップＳＴ１２０２）。受信品質の測定値と目標品質との差がしきい値Ｗ未満である場合には、送信電力コマンド生成部１１０４は個別チャネル受信電力比がしきい値Ｙ未満であるか否かを判定する（ステップＳＴ１２０３）。個別チャネル受信電力比がしきい値Ｙ未満である場合には、送信電力コマンド生成部１１０４は、現在の目標受信品質を高くするように目標受信品質を再設定する（ステップＳＴ１２０４）。次に、送信電力コマンド生成部１１０４は、再設定した目標受信品質を満たすような送信電力制御コマンドを生成する（ステップＳＴ１２０５）。
【００９１】
一方、ステップＳＴ１２０１において、自分の移動速度がしきい値Ｘ以上ではない場合には、送信電力コマンド生成部１１０４は、現在の目標受信品質を満たすような送信電力制御コマンドを生成する（ステップＳＴ１２０５）。また、ステップＳＴ１２０２において、受信品質の測定値と目標品質との差がしきい値Ｗ未満ではない場合には、送信電力コマンド生成部１１０４は、現在の目標受信品質を満たすような送信電力制御コマンドを生成する（ステップＳＴ１２０５）。また、ステップＳＴ１２０３において、個別チャネル受信電力比がしきい値Ｙ未満ではない場合には、送信電力コマンド生成部１１０４は、現在の目標受信品質を満たすような送信電力制御コマンドを生成する（ステップＳＴ１２０５）。次に、通信装置１１００は、生成した送信電力制御コマンドを送信する（ステップＳＴ１２０６）。
【００９２】
このように、本実施の形態６によれば、移動速度が所定の値以上で、かつ個別チャネル送信電力比が所定の値未満である場合には、現在の目標受信品質を高くした目標受信品質を再設定して再設定した目標受信品質を満たすような送信電力制御コマンドを生成するので、通信装置と通信相手との見通し経路が障害物により遮られる等により、受信状態が急激に劣化しても送信電力を意図通りに制御することができるとともに、送信電力制御の異常動作によりシステムに支障をきたすことを防ぐことができる。また、本実施の形態６によれば、前述のような送信電力制御コマンドに誤りが生じるのは、自分が高速に移動し、かつ通信装置と通信相手との距離が近く通信装置からの個別チャネルの送信電力比が小さい場合であるので、この条件に当てはまらない場合、即ち通信装置と通信相手との距離が遠い場合、または自分の移動速度が遅い場合等においては、送信電力制御コマンドに基づいて設定した送信電力を維持する制御を行うことにより、インナーループ送信電力制御またはアウターループ送信電力制御のみで適切な送信電力を設定することができ、総体的に通信容量が大きく変化しない運用にすることができる。また、本実施の形態６によれば、通信装置が通信相手へ送信する送信電力制御コマンドによって、通信装置が受信する送信電力制御コマンドの受信品質を保証することができることにより、通信相手にて受信品質を保証するための演算等の処理を行わなくても良いので、通信相手における処理を速くすることができる。また、本実施の形態６によれば、個別チャネル受信電力比を用いて送信電力を設定するので、受信側の測定のみで送信電力を設定することができることにより、送信側の回路規模を小さくすることができるとともに送信信号の処理を速くすることができる。
【００９３】
なお、上記実施の形態１〜実施の形態６において、送信電力制御コマンドが重畳されている個別チャネル全体の送信電力比を高くすることにしたが、これに限らず、個別チャネルの送信電力制御コマンドの送信電力のみを高くするようにしても良い。この場合は、個別チャネル全体の送信電力比を制御する場合と比較して、他ユーザへの干渉を抑える効果がある。
【産業上の利用可能性】
【００９４】
本発明にかかる通信装置及び送信電力制御方法は、受信状態が急激に劣化しても送信電力を意図通りに制御することができるとともに、送信電力制御の異常動作によりシステムに支障をきたすことを防ぐ効果を有し、送信電力制御するのに有用である。
【図面の簡単な説明】
【００９５】
【図１】本発明の実施の形態１に係る通信装置の構成を示すブロック図
【図２】本発明の実施の形態１に係る送信電力制御方法の動作を示すフロー図
【図３】本発明の実施の形態１に係る基地局と通信端末装置との伝搬路を示す図
【図４】本発明の実施の形態１に係る個別チャネル送信電力比を示す図
【図５】本発明の実施の形態２に係る通信装置の構成を示すブロック図
【図６】本発明の実施の形態３に係る通信装置の構成を示すブロック図
【図７】本発明の実施の形態３に係る送信電力制御方法を示すフロー図
【図８】本発明の実施の形態４に係る通信装置の構成を示すブロック図
【図９】本発明の実施の形態４に係る送信電力制御方法の動作を示すフロー図
【図１０】本発明の実施の形態５に係る通信装置の構成を示すブロック図
【図１１】本発明の実施の形態６に係る通信装置の構成を示すブロック図
【図１２】本発明の実施の形態６に係る送信電力制御方法を示すフロー図
【符号の説明】
【００９６】
１００  通信装置
１０２  受信部
１０３  移動速度推定部
１０４  送信電力制御部
１０５  送信部
１０６  送信電力設定部
１０７  送信電力比測定部
【図１】
2006148484.tif 000003
【図２】
2006148484.tif 000004
【図３】
2006148484.tif 000005
【図４】
2006148484.tif 000006
【図５】
2006148484.tif 000007
【図６】
2006148484.tif 000008
【図７】
2006148484.tif 000009
【図８】
2006148484.tif 000010
【図９】
2006148484.tif 000011
【図１０】
2006148484.tif 000012
【図１１】
2006148484.tif 000013
【図１２】
2006148484.tif 000014